(57)【特許請求の範囲】
【請求項１】
内部に送風ファンが横向きに配置され、フード本体内に取付作業用のスペースがない薄型のレンジフードにおいて、
下面が開放された略箱形に形成された金属製のフード本体の背面板に、内方に突出した押出部が設けられると共に、この押出部に掛支孔が設けられ、この掛支孔は、ねじの頭部が挿通可能な径を有する円形の挿通部と、挿通部の上方に連続した幅の狭い半楕円形の落し込み部とからなり、かつ、この落し込み部の周縁部分には、上方に向かうにしたがって内方に突出した傾斜端縁部が設けられたことを特徴とするレンジフード。
【請求項２】
頭部と所定の間隙を有して位置決め用の座金部が一体的に設けられたねじを、壁面の所定位置に取り付け、このねじの頭部と座金部との間に、背面板に形成された掛支孔の落し込み部を係合させることにより、該落し込み部の周縁部分に突設された傾斜端縁部を、レンジフードの自重でねじの頭部とせり合わせ、このことでレンジフードの後部を壁面側に引き付け、フード本体の背面板が、ねじで締め付けられるのと同様の効果をもって壁面に固定されるようになされたことを特徴とするレンジフードの取付方法。
【発明の詳細な説明】
【０００１】
【発明の属する技術分野】
本発明は、下面が開放された箱状のフード本体内に、排気用の送風ファンが内装され、厨房における天井近傍の壁面に固定して設置されるレンジフードと、その取付方法に関する。
【０００２】
【従来の技術】
図９は、従来のレンジフード２０の設置例を示した厨房の簡略図である。一般に、この種のレンジフード２０は、ガスレンジなどの加熱器具１１が設けられた調理台１０上方の天井Ｒの近傍位置に設置され、調理時に発生した油煙等を下方から吸い込むようになっている。従って、集煙するためのフード本体２１は、図１０並びに図１１に示すように、下面が開放された略箱状に形成されており、また、このフード本体２１は、加熱器具の直上に設置されることから不燃性の金属で形成されている。
【０００３】
また、レンジフード２０の外殻を構成したフード本体２１内には、シロッコファン２２が縦方向、即ちファンケース２３を立てた状態で設けられている。そして、このファンケース２３を挟んだ左右両側の背面板２１ａには、壁面Ｗへの取付固定用の掛支孔２４が設けられている。この掛支孔２４は、図１２並びに図１３に示すように、ねじ２５の頭部２５ａが挿通可能な径を有する円形の挿通部２４ａと、この挿通部２４ａの上方に連続した幅の狭い半楕円形の落し込み部２４ｂとからなる所謂、ダルマ孔と称せられるものである。また、図示していないが、このフード本体２１の下側の吸込口２１Ａと、シロッコファン２２との間には、油煙を捕捉するためのフィルターが、着脱可能に取り付けられている。
【０００４】
そして、このレンジフード２０を取り付けるには、まず、レンジフード２０を固定しようとする厨房壁面Ｗの所定位置に、固定用のねじ２５を、その首部２５ｂに締め込みしろを少し残した状態で取り付けておく。次に、レンジフード２０を持ち上げて、その背面板２１ａに設けられた掛支孔２４を、このねじ２５の位置に合わせて、ねじ２５の頭部２５ａを掛支孔２４の挿通部２４ａからフード本体２１の内方に突出させる。この状態でレンジフード２０から手を離すと、ねじ２５の首部２５ｂが図１２に示すようにねじ孔２４の落し込み部２４ｂ内に進入し、この状態でレンジフード２０が仮保持される。よって、この状態でフード本体２１の下側の吸込口から手を入れ、ドライバーなどを用いてこのねじ２５を締め込めば良く、このことで、図１３に示すように落し込み部２４ｂの周縁が、ねじ２５の頭部２５ａと壁面Ｗとの間で挟持され、フード本体２１は、上方への移動が不可に固定される。その後、背面板２１ａの他の位置に設けられたねじ孔２５を適宜利用し、背面板２１ａを壁面Ｗにねじ止めすれば良く、このようにして従来のレンジフード２０は、天井Ｒ近傍の壁面Ｗに取り付けられるようになっていた。
【０００５】
【発明が解決しようとする課題】
上述した従来のレンジフードでは、フード本体と、このフード本体内に取り付けられたシロッコファンのファンケースとの間に十分な隙間があったので、その内部にドライバーなどを差し込んで、固定用のねじを締め付ける作業が比較的容易に行えた。
【０００６】
しかしながら、近年、主婦の体位の向上に伴って加熱器具が設置された調理台の高さが高くなる傾向にあり、この場合、このような高さ寸法の大きなレンジフードを用いると、天井高さとの関係で火災予防の観点から加熱器具とレンジフードとの間に必要とされる距離（８０ｃｍ以上）を確保できなくなるおそれがあった。
【０００７】
また、マンションなどの高層集合住宅にあっては、レンジフードの取付位置に梁が設けられている場合があり、この場合も加熱器具とレンジフードとの間に火災予防上、十分な距離を確保することができないという問題点があった。
【０００８】
そこで、この距離を確保するために、フード本体内に送風用のファンを水平に配置し、レンジフードを薄型化しようとすると、今度はフード本体と内装されたファンケースなどとの間の隙間が小さくなり、取り付けのためのねじ止め作業が行えないという問題点が生じた。
【０００９】
本発明は、上記従来のレンジフードやその取付方法が有していた問題点の解決を課題とする。
【００１０】
【課題を解決するための手段】
上記の課題を解決するために、本発明のうち、請求項１記載の発明は、内部に送風ファンが横向きに配置され、フード本体内に取付作業用のスペースがない薄型のレンジフードにおいて、下面が開放された略箱形に形成された金属製のフード本体の背面板に、内方に突出した押出部を設けると共に、この押出部に掛支孔を設けた。そして、この掛支孔を、ねじの頭部が挿通可能な径を有する円形の挿通部と、挿通部の上方に連続した幅の狭い半楕円形の落し込み部とからなるものとし、さらにこの落し込み部の周縁部分に、上方に向かうにしたがって内方に突出した傾斜端縁部を設けたことを特徴とするレンジフードである。
【００１１】
請求項２記載の発明は、頭部と所定の間隙を有して位置決め用の座金部が一体的に設けられたねじを、壁面の所定位置に取り付け、このねじの頭部と座金部との間に、背面板に形成された掛支孔の落し込み部を係合させることにより、該落し込み部の周縁部分に突設された傾斜端縁部を、レンジフードの自重でねじの頭部とせり合わせ、このことでレンジフードの後部を壁面側に引き付け、フード本体の背面板が、ねじで締め付けられるのと同様の効果をもって壁面に固定されるようになされたことを特徴とするレンジフードの取付方法である。
【００１２】
【発明の実施の形態】
以下、本発明を図示した実施の形態に基づき詳細に説明する。
【００１３】
図３は、本発明に係るレンジフードの実施形態を示した一部切欠斜視図、図１は、その正面側の透視図である。また、図２は、その縦断側面図である。図示したように、本発明のレンジフード１では、フード本体２を下面が開放された吸込口部２Ａと、この吸込口部２Ａ上に突出したそれよりやや小さい扁平箱状の機函部２Ｂとの二段状にしている。そして、上側の機函部２Ｂ内に送風ファン３を横方向、即ち、回転軸が垂直となるように設けている。この送風ファン３は、ファンケース４の中央部分の片側（この場合は下側）から空気を吸い込み、遠心方向に排出するシロッコファンである。したがって、この送風ファン３でフード本体２の上面に設けられた排気口２ｂから外部に空気を排出できるように、ファンケース４の外周側には、上向きに屈曲された導風部４ａが設けられている。
【００１４】
なお、このフード本体２は、従来のものと同様に不燃性の金属で形成され、その下面には、油煙捕捉用のフィルター５が着脱可能に取り付けられるようになっている。また、このフード本体２の背面板２ａの上端寄りの左右両側には、図３並びに図４に示すように、従来のものと同様に、取付用のねじ（図５に符号８で示す）の頭部８ａが挿通可能な径を有する円形の挿通部７ａと、この挿通部７ａの上方に連続した幅の狭い半楕円形の落し込み部７ｂとからなる所謂、ダルマ孔と称せられる掛支孔７が設けられている。
【００１５】
ここにおいて、本発明のレンジフード１では、背面板２ａの掛支孔７が設けられる部分を、図４に示すように、プレスで内方に段押しされたように、押出部６を形成している。また、掛支孔７の落し込み部７ｂには、その周縁部分を内方に押し出し、上方に向かうにしたがって内方に突出した傾斜端縁部７ｃを形成している。なお、この押出部６や、傾斜端縁部７ｃを有する掛支孔７は、専用の金型（図示せず）を用いて金属製の背面板２ａをプレス加工することにより、容易に形成することができる。
【００１６】
本発明のレンジフード１は、上記の構成を有している。
【００１７】
なお、図示していないが、背面板２ａの下端寄りの適宜個所には、背面板２ａの下部をねじ止め固定するためのねじ孔が設けられている。
【００１８】
次に上記構成を有する本発明のレンジフード１の取付方法について説明する。
【００１９】
図５は、本発明のレンジフード１を取り付けるために用いられるねじ８を示す。図示したように、このねじ８は、頭部８ａと所定の間隙を有して向き合うように、首部８ｃの所定位置に位置決め用の座金部８ｂを一体的に設けたものである。そして、取り付けに際して、まず、このねじ８を、レンジフード１を固定しようとする厨房壁面Ｗの対応した個所に予めねじ止め固定しておく。この時、ねじは、図６に示すように、座金部８ｂが壁面Ｗの表面に当接する位置までねじ込んでおく。
【００２０】
次に、このねじ８の頭部８ａが、フード本体２の背面板２ａに設けられた掛支孔７の挿通部７ａからフード本体２内に侵入するように、レンジフード１を持ち上げて、その位置合せを行う。
【００２１】
図６は、このようにして壁面Ｗに取り付けられたねじ８に、レンジフード１を位置合せした状態の要部拡大断面図である。なお、この時、ねじ８の座金部８ｂは、押出部６の裏側に形成された凹所内に位置しているので、背面板２ａの裏面は、この座金部８ｂと接して、壁面Ｗから浮き上がることはない。
【００２２】
次に、この状態からレンジフード１の後側（図２において右側）を持ち上げている力を緩めると、レンジフード１には、自重で落下する方向の力が作用するので、挿通部７ａ内に位置していたねじ８の首部８ｂは、落し込み部７ｂ内に進入する。この時、この落し込み部７ｂの周縁には、上方に向かうにしたがって内方にせりだすように突出した傾斜端縁部７ｃが設けられているので、ねじ８の頭部８ａは、この傾斜端縁部７ｃとせり合い、結果として背面板２ａを壁面Ｗ側に押し付けることとなる。このことにより、フード本体２の背面板２ａは、レンジフード１の自重で、図７に示すように、ねじ８の頭部８ａと壁面Ｗとの間で挟持され、固定されることとなる。
【００２３】
よって、その後、背面板２ａの他の位置に設けられたねじ孔（図示せず）を利用して、背面板２ａの適宜個所を壁面Ｗにねじ止めすれば、良く、このことで、レンジフード１は、図８に示すように、調理台１０上の加熱機器１１に対向した天井Ｒの近傍位置に取り付けられることとなる。
【００２４】
なお、図８において符号９は、フード本体２の上側の前面を塞いだ前面板を示し、１２は、レンジフード１に隣接して設けられた吊り戸棚を示す。
【００２５】
また、図示していないが、フード本体２の上面に設けられた排気口２ｂは、排気ダクト（図示せず）に連結されて外部に連通するようになされている。
【００２６】
以上のように本発明のレンジフードの取付方法では、レンジフード１を位置決めし、落し込むだけで、その後部が壁面に密着して固定されるので、フード本体２内でねじ８を増し締めする必要がない。よって、その作業が容易で、作業能率も向上する。また、フード本体２内での作業スペースが狭小な薄型のレンジフード１の取付が可能となり、このことで加熱機器１１との間に十分な距離を確保することができ、従来は設置が困難な場所への設置が可能となるものである。
【００２７】
なお、図示した実施の形態では、フード本体２を下面が開放された吸込口部２Ａ上に扁平箱状の機函部２Ｂを設けた二段形状のものを例示したが、本発明のレンジフード１は、金属で形成されたフード本体２の背面板２ａを加工することにより、その所定位置に押出部６と特定構造の掛支孔７を形成した点に特徴を有しており、同様の構成であれば、フード本体自体の形状は、特に限定されるものではない。
【００２８】
また、その取付方法に用いられるねじ８として、首部８ｃに座金部８ｂが一体に設けられたものを図示したが、この座金部８ｂは、壁面Ｗと接して頭部８ａとの間に所定の間隙が形成されるように位置決めできるものであれば良く、例えば、首部８ｃに一体的に嵌合するように取り付けられたものであっても、あるいは首部８ｃを太径とすることにより、その基端側に形成された段状のものであっても良い。
【００２９】
さらにまた、図示した実施の形態では、フード本体２内に送風ファン３を水平に設けたものを例示したが、本発明のレンジフード１は、その高さ方向の寸法を小さくするために、フード２内にファン３並びにファンケース４が横向きに配置されたものであれば良く、例えば、このファン３やファンケース４が、略水平に傾斜して配置されたものであっても良い。
【００３０】
【発明の効果】
以上説明したように、本発明のうち、請求項１記載の発明は、フード本体の背面板に形成される掛支孔の周囲を内方に押し出し、掛支孔の上側の落し込み部の周縁には、上方に向かうにしたがって内方に突出した傾斜端縁部を設けたので、掛支孔を壁面に固定されたねじと係合させ、落し込むだけで、ねじを締め込まなくてもレンジフードは、このねじで壁面に押し付けられ、固定される。また、この傾斜端縁を備えた掛支孔や押出部は、プレスで容易に形成できるので、殆ど製造コストの上昇を招かない。さらにまた、フード本体内に取付作業のためのスペースを設ける必要がないので、送風ファンを横向きに配置してレンジフードを薄型化することができ、このことで取付個所に梁などがあっても、下方の加熱機器との間に、安全上、十分な距離を確保することが可能となる。よって、設置の際の制約条件が少なくなり、安全性を損なうことなく、幅広い個所への設置が可能になるという効果もある。
【００３１】
請求項２記載のレンジフードの取付方法では、フード本体の背面板に形成された掛支孔に、壁面に取り付けられたねじの頭部が入るように位置合せをし、落し込むだけで、ねじの頭部が掛支孔の落し込み部に設けられた傾斜端縁とせりあい、フード本体の背面板を壁面側に押し付けるので、フード本体の背面板は、ねじで締め付けられるのと同様の効果をもって壁面に固定される。よって、フード本体内からのねじの締め付け作業が不要となり、取付作業が容易になると共に、その作業能率も向上するという効果が得られる。
【図面の簡単な説明】
【図１】本発明に係るレンジフードの実施形態を示した正面側の透視図である。
【図２】図１に示したレンジフードの縦断側面図である。
【図３】レンジフードの簡略斜視図である。
【図４】背面板の要部拡大図である。
【図５】本発明の取付方法に用いられるねじの側面図である。
【図６】取付途中の状態を示した要部拡大断面図である。
【図７】取付完了状態を示した要部拡大断面図である。
【図８】設置例を示した厨房の簡略正面図である。
【図９】従来のレンジフードの設置例を示した厨房の簡略正面図である。
【図１０】従来のレンジフードの正面側透視図である。
【図１１】従来のレンジフードの簡略斜視図である。
【図１２】従来のレンジフードの取付途中の状態を示した要部斜視図である。
【図１３】従来のレンジフードの取付完了状態を示した要部斜視図である。
【符号の説明】
１  レンジフード
２  フード本体
２ａ  背面板
２ｂ  排気口
３  送風ファン
４  ファンケース
４ａ  導風部
５  フィルター
６  押出部
７  掛支孔
７ａ  挿通孔
７ｂ  落し込み部
７ｃ  傾斜端縁部
８  ねじ
８ａ  頭部
８ｂ  座金部
８ｃ  首部
９  前面板
１０  調理台
１１  加熱器具
１２  吊り戸棚
【図１】
0003929771.tif 000002
【図２】
0003929771.tif 000003
【図３】
0003929771.tif 000004
【図４】
0003929771.tif 000005
【図５】
0003929771.tif 000006
【図６】
0003929771.tif 000007
【図７】
0003929771.tif 000008
【図８】
0003929771.tif 000009
【図９】
0003929771.tif 000010
【図１０】
0003929771.tif 000011
【図１１】
0003929771.tif 000012
【図１２】
0003929771.tif 000013
【図１３】
0003929771.tif 000014